(57)【要約】【課題】携帯電話の操作手順を文章で表わすことによる読む手間や利用の不便さを解消すると共に、一度記憶したことを忘れ易い人或いは機械操作自体に苦手意識を持った人に対して利便性を提供する。【解決手段】ダイヤルボタンに付される０〜９の符号とは別に、他の操作ボタンについて特定の操作ボタンを起点とした配列順の符号（丸文字１〜１２）を付すると共に、ダイヤルボタンの操作による名前、数字・電話番号・暗証番号、ふりがなの最初の１字、メールアドレス、本文・メッセージの各入力情報について内容別の符号（丸英文字Ａ〜Ｄ）を付し、これら符号の組合せ配列により、携帯電話の操作手順を一覧表として表示する。【選択図】図２
2005115491.tif 000002
【特許請求の範囲】
【請求項１】
ダイヤルボタンに付される０〜９の符号とは別に、他の操作ボタンについて特定の操作ボタンを起点とした配列順の符号を付すると共に、ダイヤルボタンの操作による名前、数字・電話番号・暗証番号、ふりがなの最初の１字、メールアドレス、本文・メッセージの各入力情報について内容別の符号を付し、これら符号の組合せ配列により、携帯電話の操作手順を一覧表として表示したことを特徴とする携帯電話の操作マニュアル表。
【請求項２】
メニュー確認・決定ボタンを起点とし、そのメニュー確認・決定ボタンから時計方向回りに配列された他の操作ボタンについて配列順の符号を付したことを特徴とする請求項１に記載の携帯電話の操作マニュアル表。
【請求項３】
操作可能なメニュー項目を見出しとし、携帯電話の操作手順を見出し毎の丸数字による横並び配列で表示したことを特徴とする請求項１に記載の携帯電話の操作マニュアル表。
【請求項４】
カーソルボタンの操作向きを当該符号の周囲に付する点印で表示したことを特徴とする請求項１に記載の携帯電話の操作マニュアル表。
【請求項５】
同じボタンにより、ディスプレイに頼らず操作する場合と、ディスプレイに頼って操作する場合との符号を別の色で表示したことを請求項１に記載の携帯電話の操作マニュアル表。
【請求項６】
同じボタンの複数回操作を当該ボタンの符号に付する「×回数」で表示したことを特徴とする請求項１に記載の携帯電話の操作マニュアル表。
【発明の詳細な説明】
【技術分野】
【０００１】
本発明は、携帯電話のメニュー操作が容易な操作マニュアル表に関するものである。
【背景技術】
【０００２】
一般に、携帯電話を購入すると、当該機種の取扱説明書が添付されている。その取扱説明書による「電話帳削除」を例示すると、品番：Ｄ５０１ｉ（販売元：ＮＴＴ  ＤｏＣｏＭｏグループ）の操作手順としては、１．電話帳の検索結果から電話番号を選ぶ。２．サブメニューボタン「６．削除」を選択する。３．「はい」を選び、メニュー確認・決定ボタン（ボタンの絵で表示）「選択」を押す。と説明されている。
【０００３】
その取扱説明書では「電話帳削除」に限らず、全ての操作が手順を追って概ね文章で表わされている。然し、この文章を読んで覚え込んだと思っても、時間が経ってから利用しようとすると、思い出せないことが多々ある。殊に、頻繁に用いない操作については尚更である。このため、機械操作自体に苦手意識を持った人や高齢者等の機械操作に慣れていない人には使い難いものになっている。
【０００４】
従来、専用または兼用のヘルプボタンを端末に備え、そのヘルプボタンの押圧操作によりセンターと接続し、センターのオペレータが音声によるガイダンスを行なうことから、利用者が携帯電話の通信端末を簡単に使用可能とする通信操作のガイダンスシステムが提案されている（特許文献１）。
【０００５】
この他に、携帯情報機器に対する入力操作を検出し、携帯情報機器の現在の状態を特定する状態特定手段と、状態特定手段で特定された現在の状態から携帯情報機器に対する可能な操作を判定し、操作の説明情報を検索する検索手段と、検索手段により検索された説明情報を携帯情報機器の外部に出力する出力手段と、出力手段から説明情報を受けると、その説明情報を表示する外部表示手段とを備える操作マニュアル表示装置が提案されている（特許文献２）。
【０００６】
その通信操作ガイダンスシステムや操作マニュアル表示装置では、むしろ、携帯電話の機能を多様化するものであり、これに付随する経費も必要となることからコスト高を招く。
【特許文献１】特開２００２−１４２０２８号公報
【特許文献２】特開２００１−１６６８６７号公報
【発明の開示】
【発明が解決しようとする課題】
【０００７】
解決しようとする課題は、携帯電話の操作手順を文章で表わすことによる読む手間や利用の不便さを解消すると共に、一度記憶したことを忘れ易い人或いは機械操作自体に苦手意識を持った人に対して利便性を提供する点である。
【課題を解決するための手段】
【０００８】
本発明は、ダイヤルボタンに付される０〜９の符号とは別に、他の操作ボタンについて特定の操作ボタンを起点とした配列順の符号を付すると共に、ダイヤルボタンの操作による名前、数字・電話番号・暗証番号、ふりがなの最初の１字、メールアドレス、本文・メッセージの各入力情報について内容別の符号を付し、これら符号の組合せ配列により、携帯電話の操作手順を一覧表として表示したことを最も主要な特徴とする。
【発明の効果】
【０００９】
本発明に係る携帯電話の操作マニュアル表は、名前、数字・電話番号・暗証番号、ふりがなの最初の１字、メールアドレス、本文・メッセージの各情報を入力するダイヤルボタンによる基本的な操作と共に、符号により特定される操作ボタンの備付け位置と共に、符号により特定される入力情報の内容とを記憶すれば、符号の配列に則って携帯電話の操作手順を踏めるため、携帯電話が機械操作自体に苦手意識を持った人や高齢者等の機械操作に慣れていない人にとっても使い易い身近なものになる。
【００１０】
それと共に、携帯電話の操作マニュアル表として一枚の一覧表にカード化できるため、必要都度見られるよう常時携帯することにより便利に使用でき、また、邪魔にならないよう手軽に携帯可能なものとしても製作できる。
【００１１】
上述した特徴に加え、本発明は、メニュー確認・決定ボタンを起点とし、そのメニュー確認・決定ボタンから時計方向回りに配列された他の操作ボタンについて配列順の符号を付したことを特徴とする。これにより、ダイヤルボタン以外の操作ボタンについて付する符号による操作ボタンの配列順をアナログ時計方式で容易に覚えられる。
【００１２】
本発明は、操作可能なメニュー項目を見出しとし、携帯電話の操作手順を見出し毎の丸数字による横並び配列で表示したことを特徴とする。これにより、メニュー項目に相当する符号の配列が見分け易くなる。
【００１３】
本発明は、カーソルボタンの操作向きを当該符号の周囲に付する点印で表示したことを特徴とする。これにより、カーソルボタンの操作を確実に行なえる。
【００１４】
本発明は、同じボタンにより、ディスプレイに頼らず操作する場合と、ディスプレイに頼って操作する場合との符号を別の色で色分け表示したことを特徴とする。これにより、同じボタンによる別操作を確実に促がせる。
【００１５】
本発明は、同じボタンの複数回操作を当該ボタンの符号に付する「×回数」で表示したことを特徴とする。これにより、同じボタンの操作回数を容易に把握できる。
【発明を実施するための最良の形態】
【００１６】
図１は、本発明の操作マニュアル表（実施例１）を作製する機種：Ｎ２１０ｉ（販売元：ＮＴＴ  ＤｏＣｏＭｏグループ）の携帯電話を示す。この携帯電話においては、操作ボタンとして数字０〜９の付されたダイヤルボタンの他に、メニュー確認・決定ボタン、電話帳ボタン、メニューボタン、電源ボタン、シャープボタン、アスタリスクボタン、通話ボタン、クリアボタン、メールボタン、カーソルボタンが備え付けられている。
【００１７】
これらボタン配列の中で、メニュー確認・決定ボタンがカーソルボタンで取り囲まれて目立つ位置の上部中央に備え付けられているため、ダイヤルボタン以外の操作ボタンについては、メニュー確認・決定ボタンを起点として配列順の符号が付されている。その配列順の符号は、アナログ時計方式で覚え易くするため、時計方向回りの順に付されている。但し、逆の反時計方向回りにも設定できる。
【００１８】
その操作ボタンの符号は、メニュー確認・決定ボタンを数字の１で表示し、次に、電話帳ボタン、電源ボタン、メニューボタン、シャープボタン、アスタリスクボタン、通話ボタン、クリアボタン、メールボタン、カーソルボタンの順に数字の２〜１２で表示することにより番号配列されている。また、番号の配列を見分け易くするため、番号は丸数字で表示されている。
【００１９】
カーソルボタンは、操作向きがメニュー内容に応じて上下，左右と定められているところから、その操作向きは当該丸数字の丸枠に付する点印で表示されている。操作ボタンによっては、同じボタンにより、ディスプレイに頼らず操作する場合と、ディスプレイに頼って操作する場合とがあるため、同じ番号を黒色と赤色で色分け表示することから区別されている。また、所定のメニュー項目を同じボタンの複数回操作で選択するものがあるため、その数字には「×（掛け）回数（数字）」が付されている。
【００２０】
ダイヤルボタンの操作による各入力情報については、「名前」、「数字・電話番号・暗証番号」、「ふりがなの最初の１字」、「メールアドレス」、「本文・メッセージ」の内容別の符号で表示されている。その符号は、操作ボタンの番号と区別するため、丸英文字の「Ａ〜Ｅ」を赤色で色分け表示することから、操作ボタンの番号配列の中に組み込まれている。
【００２１】
その符号配列は、図２で示すように「番号登録」、「番号変更」、「番号検索」等のメニュー項目を見出しとしてメニュー項目毎の横並びに配列表示されている。この符号配列による一覧表は、操作可能な全てのメニュー項目について作製し或いは使用の頻繁な主要なメニュー項目についてのみ作製してもよい。
【００２２】
その表中には、「メモリー番号指定用」、「月／週間表示切替用」等の特定ボタンによる機能表示を載せられる。また、「操作終了または中止の場合は丸数字４のボタンを押す」の説明文、スラッシュ印を丸数字に付けて「画面の動き・取得中表示の終了を待ってからボタンを押す」の説明文を載せることもできる。これにより、必要なメニュー項目の配列番号で特定される操作ボタンを横並び符号順に押圧することから「番号登録」、「番号変更」、「番号検索」等の操作が行える。
【００２３】
携帯電話の操作マニュアル表を一枚のカードとして作製するには、当該携帯電話のボタン配列を表わす現物図を作り、配列順の丸数字１〜１２を各操作ボタンに付けてカードの片面に表示する（図１参照）。カードの他面には、「グループ名の登録」、「番号登録」、「番号変更」等のメニュー項目を目安として符号の組合せを横並びに配列することにより表示する（図２参照）。
【００２４】
そのボタン数字は、メニュー確認・決定ボタンが丸数字の１で、電話帳ボタンが丸数字の２で、メニューボタンが丸数字の３で、電源ボタンが丸数字の４で、シャープボタンが丸数字の６で、アスタリスクボタンが丸数字の８で、通話ボタンが丸数字の９で、クリアボタンが丸数字の１０で、メールボタンが丸数字の１１で、カーソルボタンが丸数字の１２で表わされている。
【００２５】
その実施例１では、丸数字の５並びに７が欠番扱いされている。これは機種によって操作ボタンの数が異なることから、全機種のメニュー確認・決定ボタンを丸数字の１で、カーソルボタンを丸数字の１２で表わし、始めと終りとを統一することにより、異なる機種によっても操作ボタンの配列位置と配列順の番号とを記憶し易くするよう設定されている。なお、欠番扱いする番号は「１，１２」を除けば適宜に選択できる。
【００２６】
この携帯電話の操作マニュアル表をカード化する場合、縦１３．５ｍｍ、横９．５ｍｍ程度の葉書大に作製できる。カード面には、図３で示すように携帯電話の現物図を中央に配し、カーソルボタンの操作向きを表わす点印付きの丸数字の１２をディスプレイに頼らず操作する場合と、ディスプレイに頼って操作する場合とに色分けで説明する表、ダイヤルボタンの操作による各入力情報を表わす内容を丸英文字の「Ａ〜Ｅ」で照合する表を載せられる。
【００２７】
その他に、ダイヤルボタンに付された文字を大きく表わす表、シャープボタンで出力可能な記号表、アスタリスクボタンで出力可能なインターネットアドレスの末尾記号表、文字変換操作のボタン表も載せるようにでき、基本的なボタン操作や符号の意味内容を判り易く表示できる。この操作マニュアルカードは、取扱説明書と共に、携帯電話の使用者に提供するとよい。
【００２８】
使用者が図２の一覧表に基づいて「電話帳検索」を操作するときは、丸数字２の電話帳ボタンを押すことからディスプレイをフリガナ検索画面に設定し、次いでダイヤルボタンの操作による入力情報別の丸英文字Ｃで定められたフリガナの最初の１字を所定のダイヤルボタンで入力操作し、丸数字１のメニュー確認・決定ボタンを押す。更に、ディスプレイを見ながら操作する赤色丸数字１２のカーソルボタンを下向きに押すと、電話帳をディスプレイに出せる。これ以外のメニュー項目についても、一覧表で示された符号の配列順にボタン操作すればよい。
【００２９】
図４は、機種：Ｄ５０１ｉ（販売元：ＮＴＴ  ＤｏＣｏＭｏグループ）用の操作マニュアル表（実施例２）に付される操作ボタンの符号を示す。この携帯電話には、メニュー確認・決定ボタン、右メニューボタン、絵文字／検索時文字変換ボタン、クリアボタン、電源ボタン、シャープボタン、ダイアリーボタン、アスタリスクボタン、通話ボタン、メールボタン、左メニューボタン、カーソルボタンが備え付けられている。
【００３０】
そのボタン数字は、メニュー確認・決定ボタンが丸数字の１で、右メニューボタンが丸数字の２で、絵文字／検索時文字変換ボタンが丸数字の３で、クリアボタンが丸数字の４で、電源ボタンが丸数字の５で、シャープボタンが丸数字の６で、ダイアリーボタンが丸数字の７で、アスタリスクボタンが丸数字の８で、通話ボタンが丸数字の９で、メールボタンが丸数字の１０で、左メニューボタンが丸数字の１１で、カーソルボタンが丸数字の１２で表わされている。
【００３１】
その符号配列は、図５で示すように携帯電話の操作手順を丸数字による横並び配列で表示し、カーソルボタンの操作向きを当該符号の周囲に付する点印で表示し、また、同じボタンにより、ディスプレイに頼らず操作する場合と、ディスプレイに頼って操作する場合との符号を別の色で表示し、更に、同じボタンの複数回操作を当該ボタンの符号に付する「×回数」で表示することから一覧表として作製されている。この他に、図３で示すと同じに基本的な操作表も付けられる。
【００３２】
使用者が図５の一覧表に基づいて「電話帳検索」操作をするときは、丸数字１のメニュー確認・決定ボタンを押すことからディスプレイをフリガナ検索画面に設定し、次いで、ダイヤルボタンの操作による入力情報別の丸英文字Ｃで定められたフリガナの最初の１字を所定のダイヤルボタンで入力操作し、丸数字１のメニュー確認・決定ボタンで決定する。更に、ディスプレイを見ながら操作する赤色丸数字１２のカーソルボタンを点印に則って下向きに押せば、電話帳をディスプレイに出せる。
【００３３】
図６は、機種：Ｆ６７１ｉｓ（販売元：ＮＴＴ  ＤｏＣｏＭｏグループ）用の操作マニュアル表（実施例３）に付される操作ボタンの符号を示す。この携帯電話においては、メニュー確認・決定ボタン、電話帳ボタン、電源ボタン、クリアボタン、シャープボタン、アスタリスクボタン、通話ボタン、メニューボタン、カーソルボタンが備え付けられている。
【００３４】
ボタン数字は、メニュー確認・決定ボタンが丸数字の１で、電話帳ボタンが丸数字の２で、電源ボタンが丸数字の３で、クリアボタンが丸数字の４で、シャープボタンが丸数字の５で、アスタリスクボタンが丸数字の８で、通話ボタンが丸数字の１０で、メニューボタンが丸数字の１１で、カーソルボタンが丸数字の１２で表わされている。この実施例３では、丸数字の６，７，９が欠番扱いされている。
【００３５】
実施例３でも、図７で示すように符号配列を表示し、図３と同じに基本的な操作表も載せられる。
【００３６】
使用者が図７の一覧表に基づいて「電話帳検索」を操作するときは、丸数字２の電話帳ボタンを押し、丸数字１のメニュー確認・決定ボタンを押すことからディスプレイをフリガナ検索画面に設定する。次いで、ダイヤルボタンの操作による入力情報別の丸英文字Ｃで定められたフリガナの最初の１字を所定のダイヤルボタンで入力操作し、丸数字１のメニュー確認・決定ボタンを押す。更に、ディスプレイを見ながら操作する赤色丸数字１２のカーソルボタンを下向きに押すことから、電話帳をディスプレイに出せる。
【００３７】
上述した実施例は３機種のみに基づいて説明したが、各社各様なボタン配列の異なる機種が提供されている。この各様の機種についても、ダイヤルボタンに付される０〜９の符号とは別に、他の操作ボタンについて符号を付し、ダイヤルボタンの操作による各入力情報について内容別の符号を付し、これら符号の組合せ配列により、携帯電話の操作手順を一覧表として表示することから、携帯電話の操作マニュアル表として作製できる。
【図面の簡単な説明】
【００３８】
【図１】本発明の実施例１に係る携帯電話の操作マニュアル表に付される操作ボタンの符号を示す説明図である。
【図２】実施例１に係る操作マニュアル表に付される符号配列を示す説明図である。
【図３】実施例１に係る操作マニュアル表に付される付属表を示す説明図である。
【図４】本発明の実施例２に係る携帯電話の操作マニュアル表に付される操作ボタンの符号を示す説明図である。
【図５】実施例２に係る操作マニュアル表に付される符号配列を示す説明図である。
【図６】本発明の実施例３に係る携帯電話の操作マニュアル表に付される操作ボタンの符号を示す説明図である。
【図７】実施例３に係る操作マニュアル表に付される符号配列を示す説明図である。
【符号の説明】
【００３９】
丸数字１〜１２    操作ボタンの番号
丸英文字Ａ〜Ｄ    ダイヤルボタンの操作による入力情報
【図１】
2005115491.tif 000003
【図２】
2005115491.tif 000004
【図３】
2005115491.tif 000005
【図４】
2005115491.tif 000006
【図５】
2005115491.tif 000007
【図６】
2005115491.tif 000008
【図７】
2005115491.tif 000009